(57)【要約】      （修正有）【課題】写真フイルムを使用する写真カメラを、市販の映像素子を搭載した多機能情報端末やデジタルカメラを装着して使用可能にする装置を提供する。【解決手段】撮像装置本体１１と撮像デバイス１４はフィルムカメラ３０に着脱自在となっており、フイルム露光部３６に配置された結像装置Ｘに結像された画像を撮像するようになっている。又、撮像デバイス１４に設置されたジャイロスコープによりカメラの使用によって発生する加速度を検出するようになっている。この加速度によってフィルムカメラの動作状態をXYZの３軸方向に把握し、これに基づいて撮像装置の電源をオンにするタイミングや画像を取り込むタイミングを制御する。【選択図】図７
2014230107.tif 000002
【特許請求の範囲】
【請求項１】
写真フイルムを使用するカメラに着脱自在に装着される撮像装置であって、撮像装置には撮像デバイスが着脱自在に装着される撮像装置であって、撮像装置と撮像デバイスを装着時に前記カメラのフイルム露光部には結像装置が配置され、前記カメラのシャッターが切られると、撮像デバイスに配置された撮像素子によって結像装置上で結像した画像を撮像し画像をメモリに記録する撮像装置において、前記カメラで発生する加速度又は動作音を検出する検出手段と、前記検出手段によって検出された加速度又は動作音に基づいて、前記撮像デバイスの動作を制御する制御手段と、を備えたことを特徴とする撮像装置。
【請求項２】
前記制御手段は、前記検出手段によって検出された加速度又は動作音に基づいて、前記撮像装置の電源をオンにし、又は、前記撮像素子によって撮像した画像を前記メモリに記録する処理を実行させることを特徴とする請求項１の撮像装置。
【請求項３】
前記検出手段で検出する加速度又は動作音は、前記カメラのレンズ駆動モータを駆動しているとき、ストロボをチャージしているとき、シャッターがレリーズ動作をしているとき、及びフイルムの巻き上げ動作を行っているときに発生する加速度又は音のうち少なくとも１つであることを特徴とする請求項１の撮像装置。
【請求項４】
前記カメラのフィルム露光部に結像装置が配置され、結像装置上で結像した画像を撮像する撮像素子を配置した撮像デバイスを備えたことを特徴とする請求項１の撮像装置。
【請求項５】
前記撮像装置によって前記カメラで本来得られる被写体深度と同等の被写体深度を、より大きさの小さい撮像素子を使用しデジタル画像を生成することを特徴とする請求項４の撮像装置。
【発明の詳細な説明】
【技術分野】
【０００１】
本発明は撮像装置に係り、特に写真フイルムを使用する写真カメラに着脱自在に装着され、また、市販の多機能情報端末やデジタルカメラを使用し写真カメラを電子カメラとして利用できるようにした撮像装置に関する。
【背景技術】
【０００２】
特開平８−２５１４６１号公報には、写真カメラに着脱自在に装着して写真カメラを電子カメラとして使用できるようにした電子撮像モジュールと称される撮像装置が提案されている。この撮像装置は、カメラに装着した際にカメラのフイルム露光部に配置されるＣＣＤ等の撮像素子と、撮像素子で取得した信号を処理する信号処理回路等から構成されている。
【０００３】
また、特開平９−６８７５２号公報及び特開平９−９６８６４号公報には、上述と同様の撮像装置を裏蓋のないコンパクトカメラにも装着できるようにし、銀塩フイルムを使用する安価なコンパクトカメラを電子カメラとして使用できるようにした発明が記載されている。
【０００４】
また、 特公平１２−１２５１７２号公報には、フイルム露光部に撮像素子を配置した撮像装置にマイクと振動センサを配置し音と振動を検出し、フイルムカートリッジと略同形状（円筒状）に形成されフィルムの代わりにフィルム室内部に組み込む方式で特別なインターフェース無しで写真カメラの動作状況を把握できる撮像装置が提案されている。
【先行技術文献】
【特許文献】
【０００５】
【特許文献１】特開平８−２５１４６１号公報
【０００６】
【特許文献１】特開平９−６８７５２号公報
【０００７】
【特許文献１】特開平９−９６８６４号公報
【０００８】
【特許文献１】特公平１２−１２５１７２号公報
【発明の概要】
【発明が解決しようとする課題】
【０００９】
上記文献に記載の撮像装置は、いずれもフィルム露光部に撮像素子を配置する構成を取っている。このため、写真カメラと同等の被写体深度を得ようとすると、結局は使用されているフィルム露光部と同等の大きさの撮像素子が配置された撮像装置が必要になる。即ち、専用の撮像素子や撮像装置が必要となるという問題点である。
【００１０】
また、半導体素子は、その面積が大きくなると、一枚のシリコンウエハーから取れる数量が少なくなったり、歩留まりが悪くなるため、大きいサイズの撮像素子を使用すると小さいサイズの撮像素子のものに比べ高価になってしまうという問題があった。
【００１１】
また、特公平１２−１２５１７２号公報に記載の撮像装置は、振動を検出する振動センサを設置している。このため振動センサではカメラのXYZの３軸による加速度を検出することはできず、振動の種類やカメラ操作時における傾きを明確に判断し、撮像装置の動作に反映することができないという問題があった。
【００１２】
また、特公平１２−１２５１７２号公報を除く、上記文献に記載の撮像装置は、カメラからシャッター信号を取得できるようにカメラと専用のインターフェースで接続される形態を取っている。このため、結局は専用のカメラボディが必要になる。即ち、現在市販されている多くの写真カメラでは、このような撮像装置を使用することができないという問題があった。
【００１３】
一方、撮像装置とカメラとの間で特別なインターフェースを持たない形態とした場合、即ち、上述の撮像装置を現在市販されている写真カメラで使用できるようにした場合には、撮像装置はカメラの状態を何も把握することができない。このため、撮像装置は、カメラのシャッターがレリーズされたか否かを判断することができず、撮像素子によって撮像した画像をメモリに取り込むタイミングを適切に制御することができないという問題が生じる。
【００１４】
また、撮像装置に結像装置を配置せず、カメラとの間で特別なインターフェースを持たない形態とした場合、 即ち、上述の撮像装置を現在市販されている写真カメラで使用できるようにした場合には、専用の撮像素子や撮像装置を使用せず、カメラの状態を把握させる、という二つの事を両立できないという問題もあった。本発明はこのような事情に鑑みてなされたもので、撮像デバイスにコストのかかるサイズの大きい撮像素子を使用せず、市販のもので利用可能な撮像素子を搭載した多機能情報端末やデジタルカメラに置き換え、尚かつ特別なインターフェースを使用することなく写真カメラの動作状態を適切に把握して好適な制御を行えるようにした撮像装置を提供することを目的とする。
【課題を解決するための手段】
【００１５】
前記目的を達成するために請求項１に記載の発明は、 写真フイルムを使用するカメラに着脱自在に装着される撮像装置であって、撮像装置には撮像デバイスが着脱自在に装着される撮像装置であって、撮像装置と撮像デバイスを装着時に前記カメラのフイルム露光部には結像装置が配置され、前記カメラのシャッターが切られると、撮像デバイスに配置された撮像素子によって結像装置上で結像した画像を撮像し画像をメモリに記録する撮像装置において、前記カメラで発生する加速度又は動作音を検出する検出手段と、前記検出手段によって検出された加速度又は動作音に基づいて、前記撮像デバイスの動作を制御する制御手段と、を備えたことを特徴としている。
【発明の効果】
【００１６】
本発明によれば、 フィルム露光部にフィルム露光部と同等サイズの結像装置を配置し、撮像デバイスによって結像装置に結像した画像を撮像することで、撮像素子がより小さい撮像デバイスで本来写真カメラで得られる被写体深度と同等の被写体深度を保った画像を生成できるようになる。 また、結像装置を撮像する撮像デバイスは特別なものである必要がなく、市販の撮像素子を搭載した多機能情報端末やデジタルカメラを使用してもよい。
【００１７】
また、近年市販されている多機能情報端末には、撮像素子、マイク、ジャイロスコープ（加速度検出装置）、タッチパネル式表示装置、メモリ、環境光センサを搭載したものが殆どであり、操作、設定に関しても特別なスイッチやボタンを配置する必要なく、多機能情報端末のタッチパネル式表示装置を利用するプログラムをインストールすればよい、これにより専用の撮像デバイスを用意する必要がなく、又、撮像デバイスに特別な改造を施すこと無く利用することができる。
【００１８】
また、写真カメラで発生する加速度を検出することで写真カメラの動作、操作状態を把握することができるようになり、これに基づいて撮像装置の動作を適切に制御することができるようになる。また、このように写真カメラで発生する加速度又は動作音によって撮像装置の動作を制御することで写真カメラとの専用インターフェースが不要であるため、従来の銀塩フイルム専用の写真カメラを用いてデジタル画像を撮像することができるようになる。
【００１９】
また、請求項４に記載の発明は、結像装置を配置した撮像装置と、撮像素子を配置した撮像デバイスが着脱自在であり、前記カメラのシャッターが切られた際に発生する加速度や音を検出する加速度（音）検出手段と、カメラの撮像デバイスによって撮像した画像を前記メモリに記録する処理を実行させる制御手段と、を備えたことを特徴としている。
【００２０】
本発明によれば、カメラのフイルム給送動作によって撮像装置の電源のオン、オフを制御することができ、撮像装置内に搭載された電池の電力消費を節約することができるようになる。また、これにより、撮像装置内の電池の交換間隔又は充電間隔を長くすることができ、電池の充電回数を少なくすることで撮像装置をカメラから取り外す回数を少なくすることができる、また、撮像デバイスは市販の撮像素子とレンズが一体の撮像デバイスを使用することができ、むき出された撮像素子を使用しないため、撮像素子にゴミが付着したり、撮像素子の保護ガラス等に傷が付くという問題が解消される。
【図面の簡単な説明】
【００２１】
【図１】本発明に係る撮像装置の外観を示した（レンズ側から見て）背面の鳥瞰図である。
【図２】本発明に係る撮像デバイスの外観を示した裏面の鳥瞰図である。
【図３】本発明に係る撮像装置に取り付けられる撮像装置を撮像デバイスを外した状態で外観を示した（レンズ側から見て）背面の鳥瞰図である。
【図４】本発明に係る撮像装置に取り付けられる撮像装置を撮像デバイスを外した状態で外観を示した（レンズ側から見て）前面の鳥瞰図である。
【図５】本発明に係る撮像装置に取り付けられる撮像装置を撮像デバイスを外した状態で外観を示した（レンズ側から見て）背面部である。
【図６】本発明に係る撮像装置に取り付けられる撮像装置を撮像デバイスを外した状態で外観を示した（レンズ側から見て）前面部である。
【図７】６ｃｍフイルムのフイルムマガジンを使用する写真カメラに本撮像装置を装着した様子 を示した図である。
【図８】撮像装置の回路構成を示したブロック 図である。
【図９】撮像装置をパーソナルコンピュータに 接続した様子を示した図である。
【発明を実施するための形態】
【００２２】
以下添付図面に従って本発明に係る撮像装置の好ましい実施の形態について詳説する。図１乃至図７は、それぞれ本発明に係る撮像装置に撮像デバイスを装着した図または外観を示した前面図、背面図及び鳥瞰図であり、図７は、６ｃｍ中判フイルム（銀塩フイルム）を使用する写真カメラに 本撮像装置を装着した様子を示した図である。これらの図に示すように、本発明に係る撮像装置１０は、撮像装置本体１１とこの撮像装置本体１１に配置された結像装置Ｘと撮像デバイス装着台１３に装着された撮像デバイス１４とから構成される。結像装置Ｘはフィルム露光部と同等サイズのもので撮像装置本体１１は市販されている６ｃｍフイルムカメラのフィルムマガジン部に設置され、又は、（レンズ側から見て）ファインダー後部に取り付けられる（この場合は結像装置を配置する必要はない）。従って、本撮像装置１０は、図７に示すように６ｃｍフイルムを使用する所望機種の写真カメラ３０（以下、カメラ３０という。）のフィルムマガジン装着部３２に６ｃｍフイルムのフイルムマガジンに代えて装着することができるようになっている。
【実施例１】
【００２３】
また、撮像装置１０に装着される撮像デバイス１４は、 市販の撮像素子が搭載された多機能情報端末、又は、デジタルカメラを使用し、撮像デバイス１４は撮像装置１２に配置されている結像装置Xを撮像するように配置される。これにより、写真カメラ３０のシャッターがレリーズされるとカメラ３０のレンズ部３８を介して撮像装置１２に配置された結像装置Ｘの受光面に被写体画像が結像され、撮像デバイス１４に搭載された撮像素子Ｙにより画像光が電気信号（画像信号）に変換される。撮像素子Ｙで取得された画像信号は、所定の信号処理が施された後、撮像素子Ｙ内の内蔵メモリに画像データとして記録される。
【００２４】
このように、従来から使用されている６ｃｍフィルムのフィルムカメラにフィルムマガジンの代わりに本撮像装置１０を装着することで、フィルムカメラをデジタルカメラとして使用することができるようになっている。尚、ここでは６ｃｍフィルムのフィルムカメラをデジタルカメラと使用する場合の撮像装置について説明したが、本発明は、他のサイズの写真フィルムカメラ（ インスタントフイルム等のロールフイルムでないものも含む。）を使用するフィルムカメラをデジタルカメラと使用する場合の撮像装置であってもよく、その場合には撮像装置の形状をフィルムカメラに装着することができる形状とし、且つ、結映像装置がフイルム露光部に配置され、その結像装置を撮像デバイスによって撮像できるように構成すればよい。
【００２５】
次に、撮像装置１０の回路及び構成を図８に示し、撮像装置１０に取り付けられた撮像デバイス１４に配置された撮像素子Ｙによって取得した画像を撮像デバイス１４に搭載された内蔵メモリに記録する回路の構成及び撮像動作について説明する。上記カメラ３０のシャッターがレリーズされると、上述のようにカメラ３０ のレンズ部３８を介して撮像装置１２に配置された結像装置Ｘの受光面に被写体像が結像される。結像装置Ｘ（レンズ側から見て）後方には撮像デバイス１４が配置され、撮像穴１2を通し撮像デバイス１４に搭載された撮像素子Ｙの受光面に被写体像が再結像される、撮像素子Ｙは、受光面に再結像された画像光をその光量に応じた量の信号電荷 に変換する。そして、ＣＰＵ６２から信号電荷の掃き出し指示が加えられると、蓄積した信号電荷をその信号電荷に応じた電圧信号（画像信号）として順次アナ ログ処理回路５０に転送する。アナログ処理回路５０は、転送されてきた画像信号にホワイトバランス調整やガンマ補正等の所要の信号処理を行い、このアナロ グ処理した画像信号を、Ａ／Ｄコンバータ５２を介してデジタル信号 処理部５４に転送する。デジタル信号処理部５４は、Ａ／Ｄコンバータ５２でデジタル信号に変換された画像信号をＹＣ信号（輝度信号Ｙとクロマ信号Ｃ）に変 換し、そのＹＣ信号をメモリ５６に保存していく。圧縮・伸長回路５８はメモリ５６上のＹＣ信号を圧縮し、その圧縮した画像データを内蔵メモリ６０に記録す る。これにより、撮像デバイス１４で撮像された画像が内蔵メモリ６０に記録される。
【００２６】
内蔵メモリ６０に記録された画像データは、撮像装置１０に取り付けられた撮像デバイス１４を撮像装置１０ から取り外した後、撮像デバイス１４に設けられた端子から通信ケーブル７２を通して外部装置（パソコン等）に読み出すことができるようになっている。尚、上記内蔵メモリ６０ の代わりに、撮像デバイス１４で使用可能なメモリカードに画像データを記録するようにしてもよい。
【００２７】
ところで、上述のように撮像装置１０をカメラ３０に装着して撮影を行う場合に、本撮像装置１０は、写真フイルム専用の写真カメラでの使用を可能にするためにカメラ３０と特別なインターフェースで接続することを不要にしている。このため、カメラ３０の動作状態を直接電気信号でカメラ３０から取得することができず、撮像装置１０に取り付けられた撮像デバイス１４の電源をオンにする制御や、撮像装置１０から内蔵メモリ６０に画像を取り込む制御等を自動で行おうとする場合には、これらの制御を行うタイミングが問題となるが、本撮像装置１０ではカメラ３０で発生するXYZの３軸方向による加速度を検出することによってこのような問題を解消している。
【００２８】
即ち、一般にカメラの動作時には様々な加速度が発生する。例えば、コンパクトタイプのカメラは電源を入れた時に、レンズバリアを開き、沈胴式のレンズを繰り出し、ストロボをチャージする。それら際にこれらの加速度が発生する。又、撮影時には、フォーカス調整のためのレンズを繰り出し、シャッターを切り、フイルムを巻き上げる。この際にもこれらの加速度が発生する。手動巻き上げのカメラでは手で巻き上げた場合でも加速度は発生する。又、電動ズームのカメラもズーム動作時に加速度が発生するのは同様である。一眼レフタイプのカメラでも同様で、オートフォーカスのカメラではフォーカス移動時に加速度が発生する。即ち、カメラから発生する加速度を検出すればある程度カメラの動作状態を知ることができる。
【００２９】
また、カメラの使用者がカメラを操作する際には様々な操作が発生する。例えばカメラのファインダーを使用する際にはカメラを持ち上げるという操作が発生する。又、カメラで撮影する際にはなるべく撮像画像が振れないようにカメラを揺らさないようにする。そこで、図８に示すようにカメラで発生する加速度を検出するためのジャイロスコープＺが撮像デバイス１４内部に設置され、このジャイロスコープＺで検出された加速度が、図８に示すようにＣＰＵ６２に入力されるようになっている。ＣＰＵ６２は、ジャイロスコープＺから入力される加速度に基づいて現在のカメラ３０の動作状態を把握し、撮像デバイス１４の電源をオンにするタイミング、及び、内蔵メモリ６０に画像を取り込むタイミングの制御を行うようにしている。
【００３０】
次に、これらのタイミングの制御について説明する。ＣＰＵ６２は、カメラ３０の電源がオンされたときに発生する加速度、例えば、上述のようにレンズバリアを開くことによって発生する加速度、レンズ駆動モータによって発生する加速度をジャイロスコープＺによって検知すると、撮像装置の電源をオンにする。即ち、各回路に図示しない電池から電力を供給させ、撮像デバイス１４を撮像動作可能な状態にする。これに より、カメラ３０の電源がオンされると、撮像デバイス１４の電源が自動でオンされるようになり、ユーザが直接撮像デバイス１４の電源をオンにする操作が不要となる。尚、カメラ３０の電源がオンされると撮像デバイス１４の電源をオンにするのではなく、カメラ３０のシャッターがレリーズされる直前に発生する加速度、例えば、カメラ３０のシャッターのレリーズ動作が開始された瞬間に発生する加速度やシャッターレリーズスイッチが半押しされた時に発生する加速度、又は、フイルムを巻き上げ時に発生する加速度等を検出した場合に、撮像デバイス１４の電源をオンにし、撮像デバイス１４を撮像可能状態にしてもよい。また、上述のように１つの加速度ではなく複数種類の加速度の組み合わせを検出した場合に電源をオンにしてもよい。
【００３１】
続いてＣＰＵ６２は、カメラ３０のシャッターがレリーズされたときに発生する加速度、例えば、シャター時に発生する加速度を検出すると、シャッターが終了した時に上述のように撮像デバイス１４に蓄積した信号電荷の掃き出し指示を与え、撮像デバイス１４から画像信号を読み出し、その画像信号に所定の信号処理を施して内蔵メモリ６０に保存させる。これにより、カメラのシャッターのレリーズ動作に合わせて適切なタイミングで画像の取り込みが行われるようになる。尚、シャッターがレリーズされた時に発生する加速度の検出としては、シャッターに限らず、シャッターがレリーズされたときにフイルムの巻き上げが行われる場合にはフイルムの巻き上げによって発生する加速度でもよい。また、レンズ駆動モータによって発生する加速度でも可能である。更に、撮像デバイス１４の電源をオンにする場合と同様に、予めユーザとの取り決めにより、シャッターをレリーズした後にユーザにカメラ３０の所要の操作を行わせるようにし、この所要の操作（レンズを駆動させる等）によって発生する加速度を検出した場合に画像の取り込みを実行するようにしてもよい。
【００３２】
このように、カメラ３０で発生する加速度を検出することによって、撮像デバイス１４は、カメラ３０と特別なインターフェースで接続することなく、カメラ３０の動作状態を知ることができ、カメラ３０の動作状態に応じて撮像デバイス１４を自動で制御することができる。また、上述のように撮影時、カメラが静止している時以外は撮像デバイス１４の電源をオフにしておくことも可能であり、このようにすると、撮像デバイス１４の消費電力を削減することができる。
【００３３】
以上のようにＣＰＵ６２は、カメラ３０で発生する所定の加速度をジャイロスコープＺによって検出するが、カメラ３０で発生する加速度は多種多様であり、また、カメラ３０の種類によっても異なるため、実際にどのような加速度を検出したときに撮像装置の電源をオンにするか、或いは、どのような加速度を検出したときに画像の取り込みを行うかを予め決めておく必要がある。この方法として、例えば本撮像装置１０を使用できる写真カメラの種類を限定し、その種類の写真カメラの電源がオンされたとき、又は、シャッターがレリーズされたときに必ず発生する加速度に基づいて予めＣＰＵ６２で検出する加速度の種類を決めておくようにしてもよいし、本撮像装置１０を多くの種類の写真カメラで共通に使用できるように、ＣＰＵ６２で検出する加速度の種類の候補を予めＣＰＵ６２内のメモリに登録しておき、撮像装置１０を装着するカメラの種類に応じてユーザがその候補の中から好適な加速度の種類を選択するようにしてもよい。
【００３４】
図１乃至図７に示した撮像装置１０は、撮像装置１０を装着するカメラの種類に応じてユーザがＣＰＵ６２で検出する加速度の種類を設定できるようにしたものであり、図１又は図７に示す撮像デバイス１４に設定を行うための設定プログラム２４をインストールすれば良い。また撮像デバイス１４にはタッチパネル式表示装置２６が設けられている。これらの設定プログラム２４とタッチパネル式表示装置２６は図８に 示すようにＣＰＵ６２に接続されており、ＣＰＵ６２は設定プログラム２４で選択されたことを検出すると、ＣＰＵ６２内のメモリに予め登録されている加速度の種類の候補の加速度の種類をタッチパネル式表示装置２６に表示させる。そして、設定プログラム２４で選択されたことを検出すると、そのときタッチパネル式表示装置２６に表示している加速度の種類をＣＰＵ６２で検出する加速度の種類として設定する。この手順により、初めは、撮像デバイス１４の電源をオンにするタイミングを決める加速度を設定し、設定プログラム２４によってこの加速度を設定すると、続いて、画像を取り込むタイミング を決定する加速度を設定する。尚、タッチパネル式表示装置２６は上記設定の際の表示の他に、撮像デバイス１４の現在の動作状態、撮影中の画像等の他の情報の表示にも使用することができるため、カメラ３０の（レンズ側から見て）後方、撮影者側に設置するのが望ましい。
【００３５】
また、ＣＰＵ６２で検出する加速度の種類を設定する方法として、上述の設定プログラム２４による方法以外に、撮像デバイス１４に通信機能を持たせ、ユーザがパーソナルコンピュータや他の通信端末機を利用して設定を行えるようにしてもよい。この様子を図９に 示す。同図に示すように撮像デバイス１４を例えばノート型のパーソナルコンピュータ７０に通信ケーブル７２で接続できるようにする。そして、パーソ ナルコンピュータ７０で加速度の種類を設定し、その設定した情報を撮像デバイス１４に送信すると、ＣＰＵ６２で検出する加速度の種類が設定されるようにする。尚、その場合には撮像デバイス１４が使用可能な方式でよく、また、図９では有線通信を行うようになっているが、無線通信を利用してもよい。又、これらの通信方式を利用し、撮像デバイス１４で撮像した、もしくはしている画像をパーソナルコンピューターでリアルタイムに送信してパーソナルコンピューター側で表示できるようにしてもよい。
【００３６】
以上説明した実施の形態では、カメラで発生する加速度に基づいて撮像デバイス１４の電源をオンにするタイミングと画像を取り込むタイミングとを制御するするようにしたが、これに限らず、撮像デバイス１４の他の所要の動作についても同様にカメラで発生する加速度に基づいて制御するようにしてもよい。次に、本発明に係る撮像装置の他の実施の形態について説明する。上記実施の形態ではカメラで発生する加速度によってカメラの動作状態を把握し、これに基づき撮像デバイス１４の動作を制御するようにしたが、加速度に限らず、カメラで発生する音と加速度を連動させカメラの動作状態を把握して撮像デバイス１４の動作を制御することもできる。即ち、加速度と同様にカメラではレンズ駆動モータが駆動しているとき、フイルムの巻き上げが行われているとき、又は、シャッターが動作しているとき等に音が発生する。そこで、カメラで発生する音と加速度の両方を検出することで撮像デバイスの誤動作を減らすことができる。図８に示すように撮像デバイス１４で利用可能なマイク２２とジャイロスコープＺを利用する。また、この撮像デバイス１４の動作について説明すると、撮像デバイス１４内のＣＰＵ６２はマイク２２とジャイロスコープＺによって検出された加速度と音を取得し、レンズ駆動モータが駆動しているときに発生した加速度と音、フイルムの巻き上げが行われているときに発生した加速度と音、又は、シャッターが動作しているときに発生した加速度と音等の所要の加速度と音を検出する。そして、その所要の加速度と音と検出したときにだけＣＰＵ６２は撮像デバイス１４の電源をオンにし、又は、画像の取り込みを実行する。尚、カメラで発生する加速度を検出する場合と同様に、ＣＰＵ６２が音と加速度を検出するかをユーザが設定するようにしてもよい。また、学習機能によって設定するようにしてもよい。 このように、カメラで発生する加速度と音の両方を検出することによって撮像デバイス１４の誤動作を減らし動作を適切に制御することができる。
【実施例２】
【００３７】
図２の実施例は、ハウジングに取付けたスイッチによって、左右いずれからでも入力できるので、例えば文書の左端から入力する場合は左端の側端部に、右端まで入力する場合は右端の側端部に各々切替えて使用する。副走査の精度を確保するためには、ハウジングの接紙条件の良いことが要となるので、この切替え機能はハンドスキャナの操作性向上と入力対象の拡大におおいに役立つ。
【図１】
2014230107.tif 000003
【図２】
2014230107.tif 000004
【図３】
2014230107.tif 000005
【図４】
2014230107.tif 000006
【図５】
2014230107.tif 000007
【図６】
2014230107.tif 000008
【図７】
2014230107.tif 000009
【図８】
2014230107.tif 000010
【図９】
2014230107.tif 000011